(57)【要約】【課題】  医師個々の診断パターンを予め学習しておき、当該学習結果に基づいて診断スキルに応じた診断画面を各医師に対して表示するようにした技術を提供する。【解決手段】  診断支援システムは、症例データに対する複数の医師による診断結果に基づく第１の学習結果と、該症例データに対する特定の医師による診断結果に基づく第２の学習結果とを算出する学習手段と、第１の学習結果と第２の学習結果との比較に基づいて特定の医師の診断に関する特徴を分析する分析手段と、分析結果に基づいて患者の検査により得られた臨床データの表示情報を決定する決定手段とを具備する。【選択図】  図１
2010282366.tif 000002
【特許請求の範囲】
【請求項１】
症例データに対する複数の医師による診断結果に基づく第１の学習結果と、該症例データに対する特定の医師による診断結果に基づく第２の学習結果とを算出する学習手段と、
前記第１の学習結果と前記第２の学習結果との比較に基づいて前記特定の医師の診断に関する特徴を分析する分析手段と、
前記分析結果に基づいて患者の検査により得られた臨床データの表示情報を決定する決定手段と
を具備することを特徴とする診断支援システム。
【請求項２】
医師を識別する識別情報を入力する入力手段と、
症例データに対する複数の医師による診断結果に基づく第１の学習結果と、該症例データに対する前記入力手段により入力された識別情報に対応する医師による診断結果に基づく第２の学習結果とを算出する学習手段と、
前記第１の学習結果と前記第２の学習結果との比較に基づいて前記入力手段により入力された識別情報に対応する医師の診断に関する特徴を分析する分析手段と、
患者の検査により得られた臨床データを取得する臨床データ取得手段と、
前記分析結果に基づいて前記臨床データの表示情報を決定する決定手段と、
前記決定手段により決定された表示情報に基づく表示画面を表示器に表示する表示処理手段と
を具備することを特徴とする診断支援システム。
【請求項３】
前記第１の学習結果と前記第２の学習結果とを用いて前記症例データを複数のカテゴリに分類する分類手段と、
前記臨床データの特徴量と前記症例データの特徴量とに基づいて該臨床データが前記分類手段により分類された前記カテゴリのいずれに属するかを識別する識別手段と
を更に具備し、
前記分類手段は、
前記入力手段により入力された識別情報に対応する医師が正確に診断を行なった症例群が属する第１のカテゴリと、診断を誤った症例群が属する第２のカテゴリとを含む複数のカテゴリに前記症例データを分類し、
前記分析手段は、
前記第１のカテゴリと前記第２のカテゴリとに分類された症例群に基づいて、前記入力手段により入力された識別情報に対応する医師の診断を補助するのに重要となる検査情報を特定し、
前記決定手段は、
前記識別手段により前記臨床データが前記第２のカテゴリに属すると識別された場合、前記分析手段により特定された前記検査情報に基づいて前記表示情報を決める
ことを特徴とする請求項２記載の診断支援システム。
【請求項４】
前記分類手段により前記第２のカテゴリに分類された症例データを複数のクラスタに分類するクラスタリング手段
を更に具備し、
前記識別手段は、
前記臨床データ取得手段により取得された前記臨床データが前記第２のカテゴリに属する場合に、前記臨床データの特徴量と前記症例データの特徴量とに基づいて該臨床データが前記複数のクラスタ内のいずれに属するかを識別し、
前記決定手段は、
前記識別手段により前記臨床データが前記第２のカテゴリに属すると識別された場合、前記第２のカテゴリのクラスタに対応して前記分析手段により特定された前記検査情報に基づいて前記表示情報を決める
ことを特徴とする請求項３記載の診断支援システム。
【請求項５】
前記分類手段は、
前記症例データに対する複数の医師による診断結果に基づく前記第１の学習結果を用いて該複数の医師による診断の結果がわかれた症例群が属する第３のカテゴリに前記症例データを分類し、
前記分析手段は、
前記第３のカテゴリに分類された症例群に基づいて、前記入力手段により入力された識別情報に対応する医師の診断を補助するのに重要となる検査情報を特定し、
前記決定手段は、
前記識別手段により前記臨床データが前記第３のカテゴリに属すると識別された場合、前記分析手段により特定された前記検査情報に基づいて前記表示情報を決める
ことを特徴とする請求項３記載の診断支援システム。
【請求項６】
前記臨床データは、
前記患者に対して複数のモダリティを用いて検査した複数の検査結果を含み、
前記検査情報は、
前記複数の検査結果の内のいずれかを示す情報、前記複数のモダリティの内のいずれにより検査されたかを示す情報、前記モダリティによる検査により得られた複数の撮像箇所又は撮像箇所の内のいずれかを示す情報、の少なくとも１つを含む
ことを特徴とする請求項３から５いずれか１項に記載の診断支援システム。
【請求項７】
診断支援システムの診断支援方法であって、
学習手段が、症例データに対する複数の医師による診断結果に基づく第１の学習結果と、該症例データに対する特定の医師による診断結果に基づく第２の学習結果とを算出する工程と、
分析手段が、前記第１の学習結果と前記第２の学習結果との比較に基づいて前記特定の医師の診断に関する特徴を分析する工程と、
決定手段が、前記分析結果に基づいて患者の検査により得られた臨床データの表示情報を決定する工程と
を含むことを特徴とする診断支援システムの診断支援方法。
【請求項８】
医師を識別する識別情報を入力する入力手段と、
症例データに対する複数の医師による診断結果に基づく第１の学習結果と、該症例データに対する前記入力手段により入力された識別情報に対応する特定の医師による診断結果に基づく第２の学習結果とを算出する学習手段と、
前記第１の学習結果と前記第２の学習結果との比較に基づいて前記特定の医師の診断に関する特徴を分析する分析手段と
を具備することを特徴とする情報処理装置。
【請求項９】
医師を識別する識別情報を入力する入力手段と、
患者の検査により得られた臨床データを取得する臨床データ取得手段と、
症例データに対する複数の医師による診断結果に基づく第１の学習結果と、該症例データに対する前記入力手段により入力された識別情報に対応する特定の医師による診断結果に基づく第２の学習結果との比較により前記特定の医師の診断に関する特徴を分析した結果に基づいて前記臨床データの表示情報を決定する決定手段と、
前記決定手段により決定された表示情報に基づく表示画面を表示器に表示する表示処理手段と
を具備することを特徴とする情報処理装置。
【発明の詳細な説明】
【技術分野】
【０００１】
本発明は、診断支援システム及びその診断支援方法、情報処理装置に関する。
【背景技術】
【０００２】
近年、様々な計測機器が医療現場で用いられるようになっている。これらの機器は、計測精度やデータ処理能力の向上により、莫大な情報量のデータを静止画や動画として生成する。そのため、それらデータに基づき診断を行なう読影医の負荷は、甚大なものとなっている。また、読影医の絶対数が少ないことがこのような負荷の増大の一要因となっており、読影医の育成は急務であるともいわれている。
【０００３】
診断支援（以下、ＣＡＤと略す）技術が脚光を浴びている。ＣＡＤでは、例えば、Ｘ線ＣＴデータや、脳のＭＲＩデータを用いて読影の支援を行なう。読影医の育成に関しては、特許文献１に示すように、患者の画像情報や外科的及び内科的所見を表示し、学習者に傷病名を解答させる教育支援システムが知られている。この教育支援システムでは、正解が付けられた症例データに基づいて、学習者に正しい答えを表示する。これにより、学習者は、多くの症例に対する専門医の診断結果を学ぶことができる。
【先行技術文献】
【特許文献】
【０００４】
【特許文献１】特開平５−２５７４８号公報
【発明の概要】
【発明が解決しようとする課題】
【０００５】
一般に、上述したシステムは、経験が豊富な医師に対しても、経験が浅い医師に対しても、同じ正解を表示し、経験等に応じた教育支援は行なっていない。また、例えば、眼科の場合、複数のモダリティによる分析結果を統合して診断を行なうが、この場合にも、各モダリティに対する分析結果の表示の割合は同一となる。
【０００６】
すなわち、従来のシステムでは、学習者が苦手としているモダリティに対してもそうでないモダリティに対しても画一的な教育支援を行なうだけであり、学習者に応じた教育支援を行なっていない。
【０００７】
本発明は、上記課題に鑑みてなされたものであり、医師個々の診断パターンを予め学習しておき、当該学習結果に基づいて診断スキルに応じた診断画面を各医師に対して表示するようにした技術を提供することを目的とする。
【課題を解決するための手段】
【０００８】
上記課題を解決するため、本発明の一態様による診断支援システムは、症例データに対する複数の医師による診断結果に基づく第１の学習結果と、該症例データに対する特定の医師による診断結果に基づく第２の学習結果とを算出する学習手段と、前記第１の学習結果と前記第２の学習結果との比較に基づいて前記特定の医師の診断に関する特徴を分析する分析手段と、前記分析結果に基づいて患者の検査により得られた臨床データの表示情報を決定する決定手段とを具備することを特徴とする。
【発明の効果】
【０００９】
本発明によれば、医師個々の診断パターンを予め学習しておき、当該学習結果に基づいて診断スキルに応じた診断画面を各医師に対して表示する。
【図面の簡単な説明】
【００１０】
【図１】本発明の一実施の形態に係わる診断支援システムの全体構成の一例を示す図。
【図２】図１に示す学習処理装置１０の機能的な構成の一例を示す図。
【図３】図１に示す学習処理装置１０における処理の流れの一例を示すフローチャート。
【図４】図３に示すＳ１０４の処理の流れの一例を示すフローチャート。
【図５】症例データの分類の一例を示す図である。
【図６】図１に示す診断支援装置５０の機能的な構成の一例を示す図。
【図７】図１に示す診断支援装置５０における処理の流れの一例を示すフローチャート。
【図８】症例データの分類の一例を示す図である。
【図９】実施形態３に係わる学習処理装置１０の機能的な構成の一例を示す図。
【図１０】実施形態３に係わる学習処理装置１０における処理の流れの一例を示すフローチャート。
【発明を実施するための形態】
【００１１】
以下、本発明に係わる診断支援システム及びその診断支援方法、情報処理装置の一実施の形態について添付図面を参照して詳細に説明する。
【００１２】
（実施形態１）
図１は、本発明の一実施の形態に係わる診断支援システムの全体構成の一例を示す図である。なお、本実施形態においては、緑内障の診断支援を行なう場合を例に挙げて説明する。
【００１３】
この診断支援システムには、ＬＡＮ（Local Area Network）等で構成されたネットワーク３０を介して、学習処理装置１０と、診断支援装置５０と、臨床データ取得装置２０と、データベース４０とが接続されている。なお、各装置は、通信が行なえればよく、必ずしもネットワーク３０を介して接続される必要はない。例えば、ＵＳＢ（Universal Serial Bus）やＩＥＥＥ１３９４等を介して接続されていもよいし、また、ＷＡＮ（Wide Area Network）を介して接続されていてもよい。
【００１４】
ここで、データベース４０は、各種データを格納する。データベース４０には、症例データベース４１が含まれる。症例データベース４１には、疾患部を含むことが分かっているデータ、及びそのような疾患部を含まないデータ（所見なし）等、複数の症例データが格納される。ここで、各症例データには、複数のモダリティ（例えば、眼底カメラ、ＯＣＴ（Optical Coherence Tomograph）、視野計）を用いた検査結果が含まれる。具体的には、眼底カメラで撮影した眼底画像、ＯＣＴにより黄斑部及び視神経乳頭部の断層像を撮影した３Ｄ画像、視野計による視野感度の測定結果、被検眼の眼圧、隅角、視力、眼軸長の値等が含まれる。
【００１５】
学習処理装置１０は、医師の診断パターンを学習し、当該医師の診断の特徴を分析する。そして、その分析結果等をデータベース４０に格納する。
【００１６】
臨床データ取得装置２０は、臨床データを取得する。臨床データには、上述した症例データ同様に、複数のモダリティ（例えば、眼底カメラ、ＯＣＴ、視野計）を用いた検査結果が含まれる。臨床データ取得装置２０では、診断支援装置５０からの指示に応じて、被検眼の撮影や視野感度、眼圧、隅角等の測定を実施し、当該測定により得られた画像やその他の情報を診断支援装置５０に送信する。
【００１７】
診断支援装置５０は、医師が診断に用いる装置である。診断支援装置５０では、医師による診断が行なわれる際に、当該医師の診断の特徴を示す学習結果をデータベース４０から取得するとともに、診断対象となる患者の臨床データを臨床データ取得装置２０から取得する。そして、当該医師が間違いやすい症例の診断に際しては、その間違いをカバーするために重要となる情報を臨床データに基づいて表示する。これにより、医師各々の診断スキルに応じた診断支援を行なう。
【００１８】
なお、上記説明した、学習処理装置１０、診断支援装置５０、臨床データ取得装置２０、データベース４０等には、コンピュータが組み込まれている。コンピュータには、ＣＰＵ等の主制御手段、ＲＯＭ（Read Only Memory）、ＲＡＭ（Random Access Memory）、ＨＤＤ（Hard Disk Drive）等の記憶手段が具備される。また、コンピュータにはその他、キーボード、マウス、ディスプレイ、ボタン又はタッチパネル等の入出力手段、等も具備される。これら各構成手段は、バス等により接続され、主制御手段が記憶手段に記憶されたプログラムを実行することで制御される。
【００１９】
図２を用いて、図１に示す学習処理装置１０の機能的な構成の一例について説明する。学習処理装置１０は、症例データ取得部１１と、入力部１２と、記憶部１３と、表示処理部１４と、出力部１６と、制御部１５とを具備して構成される。
【００２０】
症例データ取得部１１は、症例データベース４１から症例データを取得する。入力部１２は、医師（使用者）を識別する識別情報や、使用者の指示を装置内に入力する。記憶部１３は、各種情報を記憶する。制御部１５は、学習処理装置１０を統括制御する。表示処理部１４は、表示画面を生成し、それをモニタ（表示器）に表示する。出力部１６は、データベース４０等に向けて各種情報を出力する。
【００２１】
ここで、制御部１５には、学習部１５１と、比較分類部１５２と、分析部１５３とが具備される。学習部１５１は、症例データ取得部１１により取得された症例データに基づいて、当該症例データを識別するために必要な特徴量のセットを求める。また、パターン認識手法のパラメータの設定も行なう。そして、この特徴量のセット、パターン認識手法のパラメータ等を用いて、複数の経験豊富な医師（経験者）や本システムを使用する医師の診断パターンを学習する。
【００２２】
比較分類部１５２は、経験者による学習結果（以下、第１の学習結果と呼ぶ）とシステム使用者による学習結果（以下、第２の学習結果と呼ぶ）とを比較し、その比較結果に基づいて症例データベース４１内の各症例を分類する。例えば、緑内障診断の場合であれば、緑内障であると識別し易い症例、緑内障でないと識別し易い症例（すなわち、正常）、緑内障であると識別するのが困難な症例、等に各症例を分類する。
【００２３】
分析部１５３は、経験者による学習結果（以下、第１の学習結果と呼ぶ）とシステム使用者による学習結果（以下、第２の学習結果と呼ぶ）とに基づいて、当該使用者の診断の特徴（診断スキル）を分析する。
【００２４】
次に、図３を用いて、図１に示す学習処理装置１０における処理の流れの一例について説明する。ここでは、学習結果を作成する時の処理の流れについて説明する。
【００２５】
この処理が始まると、学習処理装置１０は、症例データ取得部１１において、診断ラベル（診断結果を示す情報）付きの症例データを症例データベース４１から取得する。そして、学習処理装置１０は、学習部１５１において、当該診断ラベル付きの症例データに基づいて、特徴量のセットを決めるとともに、パターン認識手法のパラメータ等を設定し、それら情報を記憶部１３に格納する（Ｓ１０１）。この処理は、症例データベース４１に格納された全ての症例データに対して行なわれる。
【００２６】
ここで、学習処理装置１０は、学習部１５１において、複数の経験豊富な医師（経験者）が症例データに付与した診断ラベルに基づいて、第１の識別関数群を求める（Ｓ１０２）。このとき、特徴量セットやパターン認識手法のパラメータは、Ｓ１０１で設定された値を用いる。
【００２７】
次に、学習処理装置１０は、学習部１５１において、本システムを使用する医師（システム使用者）が症例データに付与した診断ラベルに基づいて、第２の識別関数を求める（Ｓ１０３）。第２の識別関数は、医師を識別する情報（例えば、各医師のＩＤ）とともに記憶部１３に格納される。なお、このときの特徴量セットやパターン認識手法のパラメータは、Ｓ１０１で設定された値を用いる。
【００２８】
学習処理装置１０は、比較分類部１５２において、Ｓ１０２で求めた第１の識別関数と、Ｓ１０３で求めた第２の識別関数とに基づき、経験者とシステム使用者との学習結果を比較する。そして、その比較結果に基づいて症例データベース４１内の症例を分類する。この分類が済むと、学習処理装置１０は、分析部１５３において、分類結果に基づいて、第１の識別関数及び第２の識別関数の差異を分析する。そして、その分析結果等をデータベース４０に格納する（Ｓ１０４）。その後、この処理を終了する。
【００２９】
[Ｓ１０１の処理の詳細]
ここで、図３に示すＳ１０１の処理について具体例を挙げて説明する。
【００３０】
ここで、症例データベース４１には、緑内障であることが既知である症例Ｎｇｌａｕｃｏｍａ例と、正常な症例Ｎｎｏｒｍａｌ例とが格納されている。なお、緑内障であることが既知である症例とは、例えば、専門医により緑内障と診断された後、継続的に経過観察され、緑内障であることが確定した症例を指す。
【００３１】
学習処理装置１０は、症例データ取得部１１において、症例データベース４１から全ての症例データを取得し、記憶部１３に格納する。続いて、学習処理装置１０は、学習部１５１において、当該取得した症例データを用いてパターン認識による識別学習を行なう。パターン認識に用いる特徴量は、例えば、眼底画像であれば、視神経乳頭部の陥凹に対応するカップ／ディスク比（Ｃ／Ｄ比）やリム／ディスク比（Ｒ／Ｄ比）、神経線維層の欠損に対応する神経線維層に沿った色ヒストグラムなどの値が挙げられる。また、例えば、ＯＣＴによる３Ｄ画像であれば、黄斑周辺を９つのセクターに分割しそれぞれの領域で測定した神経線維層の層厚さ、視野測定であれば、ＭＤ値（Mean Deviation）やＴＤ値（Total Deviation）などが挙げられる。
【００３２】
パターン認識には、例えば、ＳＶＭ（Support Vector Machine）を用いればよい。なお、この手法以外にも、クラス分類が可能な手法であればよい。例えば、ＳＶＭ以外でも、ニューラルネットワーク、ベイジアンネットワーク、混合正規分布などを用いたパラメトリックな手法によりクラス分類してもよい。
【００３３】
また、評価法としては、例えば、１０ ｆｏｌｄ ｃｒｏｓｓ ｖａｌｉｄａｔｉｏｎ法を用いればよい。緑内障症例、正常症例をそれぞれ１０分割して、緑内障症例の９グループと正常症例の９グループとを用いて学習し、その結果で残りの症例の識別を行なう処理を繰り返す。１０ ｆｏｌｄ ｃｒｏｓｓ ｖａｌｉｄａｔｉｏｎ法により正解率（（緑内障症例を緑内障と識別する症例数＋正常症例を正常と識別する症例数）/全症例数）を評価し、その正解率が最も高くなるようにパターン認識手法のパラメータを決定する。
【００３４】
ここで、次元削減手法を用いて複数の特徴量の中から症例の識別に有効な特徴量を選択する。例えば、後進法と呼ばれる次元削減手法を用いる。後進法では、全ての特徴量を用いた状態から一つずつ特徴量を減らしていく。これにより、識別精度を評価する手法（Sequential Backward Search法）である。但し、この手法に限られない。例えば、これとは逆に特徴量を一つずつ加えていくことによって精度の変化を調べる前進法（Sequential Forward Search法）や、識別器によらない次元削減手法として知られる主成分分析法を用いてもよい。
【００３５】
１０ ｆｏｌｄ ｃｒｏｓｓ ｖａｌｉｄａｔｉｏｎ法により全ての特徴量を用いてパラメータを調整した後、後進法を用いて次元削減を行なう。その後、導出されたパラメータの値をその値周辺で変化させて、正答率の変化を確認する。この処理を繰り返すことにより、最終的な特徴量のセット、パターン認識手法のパラメータを決定する。
【００３６】
このように学習部１５１では、症例データベース４１から取得した症例データに基づいて、特徴量のセットを決め、学習モデルを設定するために必要となるパラメータ（カーネルやパラメータ）を設定する。これらパラメータ等は、上述した通り、記憶部１３に格納される。なお、この処理では、症例データベース４１に格納された全ての症例データに対して特徴量のセットを算出する。そして、症例毎の特徴量ベクトルｘｉ（ｉ＝１〜Ｎ）を記憶部１３に格納する。
【００３７】
[Ｓ１０２の処理の詳細]
次に、図３に示すＳ１０２の処理の具体的内容に関して説明する。ここでは、緑内障診断の経験が豊富な医師（経験者）がシステム使用者であるとする。
【００３８】
この処理が始まると、学習処理装置１０は、症例データ取得部１１において、症例データベース４１から症例データを取得し、それを記憶部１３に格納する。この取得した症例データは、記憶部１３への格納と同時に表示処理部１４を介してモニタに表示される。使用者は、モニタに表示された症例に対して緑内障であるか否かを診断し、その診断結果を入力する。この診断結果は、入力部１２を介して装置内に診断ラベルとして入力され、症例データと対応付けて記憶部１３に格納される。
【００３９】
全ての症例データのラベル付けが終わると、学習処理装置１０は、学習部１５１において、Ｓ１０１で設定した各症例の特徴量セット、パターン認識手法のパラメータを用いて、経験者が付与した診断ラベルに基づく学習を行なう。これにより、識別関数ｆ１を求める。
【００４０】
ここでの学習は、複数の経験豊富な医師による診断に基づいて行われ、これにより、各医師の識別関数が求められる。ｎ人の医師各々に対応する識別関数をｆ１１〜ｆ１ｎとする。この学習結果は、第１の学習結果として記憶部１３に格納される。
【００４１】
（Ｓ１０３の処理の詳細）
次に、図３に示すＳ１０３の処理について具体例を挙げて説明する。ここでは、本システムを使用する医師（経験豊富であっても、そうでなくても良い）をシステム使用者とする。
【００４２】
この処理が始まると、学習処理装置１０は、入力部１２において、医師を識別する識別情報（各医師に対して付与されたＩＤ情報）を取得する。また、学習処理装置１０は、症例データ取得部１１において、症例データベース４１から症例データを取得し、それを記憶部１３に格納する。この取得した症例データは、記憶部１３への格納と同時に表示処理部１４を介してモニタに表示される。使用者である医師は、モニタに表示された症例に対して緑内障であるか否かを診断し、その診断結果を入力する。この診断結果は、入力部１２を介して装置内に診断ラベルとして入力され、症例データと対応付けて記憶部１３に格納される。
【００４３】
全ての症例データのラベル付けが終わると、学習処理装置１０は、学習部１５１において、Ｓ１０１で設定した各症例の特徴量セット、パターン認識手法のパラメータを用いて、使用者に付与されたラベルに基づく学習を行なう。これにより、識別関数ｆ２を求める。この学習結果は、システム使用者である医師のＩＤとともに、第２の学習結果として記憶部１３に格納される。
【００４４】
[Ｓ１０４の処理の詳細]
次に、図４を用いて、図３に示すＳ１０４の処理について具体例を挙げて説明する。
【００４５】
学習処理装置１０は、Ｓ１０２で求めた第１の学習結果と、Ｓ１０３で求めた第２の学習結果とを記憶部１３から取得する。ここで、第１の学習結果は、複数の経験豊富な医師の診断により得られた第１の識別関数群ｆ１ｎ（ｘ）であり、第２の学習結果は、システム使用者の医師の診断により得られた第２の識別関数ｆ２（ｘ）である。
【００４６】
また、学習処理装置１０は、Ｓ１０１で算出した各症例データに対する特徴量ベクトルｘｉ（ｉ＝１〜Ｎ）の値を取得する。そして、学習処理装置１０は、比較分類部１５２において、第１の識別関数群ｆ１ｎ（ｘ）と第２の識別関数ｆ２（ｘ）とを用いて、各症例データを分類する（Ｓ２０１）。これにより、各症例データは、図５に示すように分類される。
【００４７】
図５の横軸においては、ｎ種の第１の識別関数ｆ１１（ｘ）〜ｆ１ｎ（ｘ）全てで正常とされ、且つ正常であることが確定している症例を正常、全てで緑内障とされ、且つ緑内障であることが確定している症例を緑内障としている。更に、ｎ種の第１の識別関数で１つでも確定診断結果と異なる結果が得られた症例を困難症例と分類している。また、図５の縦軸においては、第２の識別関数ｆ２（ｘ）に基づく識別結果が示されており、各症例は全部で６種類のカテゴリに分類される。
【００４８】
ここで、症例群ｍ１は、経験者（複数の経験豊富な医師）とシステム使用者（本システムを使用する医師）とがともに、正常と診断した症例群である。また、症例群ｍ６は、経験者とシステム使用者とがともに、緑内障と診断した症例群である。症例群ｍ２及びｍ５は、経験者の間でも意見のわかれる症例群であり、診断の難しい症例群（第３のカテゴリ）といえる。
【００４９】
これに対し、症例群ｍ３は、経験者全てが緑内障と診断しているが、システム使用者は正常と診断している症例群である。つまり、システム使用者が緑内障を見落としている症例群となる。この症例群ｍ３をＦａｌｓｅ Ｎｅｇａｔｉｖｅ症例群（以下、ＦＮ症例群と呼ぶ）とする。逆に、症例群ｍ４は、経験者全てが正常と診断しているが、システム使用者は緑内障と診断している症例群である。つまり、本システムの使用者によるＦａｌｓｅ Ｐｏｓｉｔｉｖｅ症例群（以下、ＦＰ症例群と呼ぶ）となる。
【００５０】
図４の説明に戻り、症例データの分類が済むと、学習処理装置１０は、分析部１５３において、第１の識別関数群ｆ１ｎ（ｘ）と第２の識別関数ｆ２（ｘ）とに差異があるか否かの判断を行なう。具体的には、症例群ｍ３（ＦＮ）及び症例群ｍ４（ＦＰ）に分類された症例群が両者の差異となる。症例群ｍ３（ＦＮ）及び症例群ｍ４（ＦＰ）に分類された症例がなければ、両者の識別関数には差異がないとする。
【００５１】
判断の結果、差異がなければ（Ｓ２０２でＮＯ）、この処理は終了する。一方、差異があれば（Ｓ２０２でＹＥＳ）、学習処理装置１０は、分析部１５３において、分析処理を行なう（Ｓ２０３）。
【００５２】
ここで、分析処理においては、以下、（１）及び（２）の関係に着目する。
【００５３】
１）症例群ｍ３（ＦＮ）と症例群ｍ１（正常）、
２）症例群ｍ４（ＦＰ）と症例群ｍ６（緑内障）
症例群ｍ３（ＦＮ）及び症例群ｍ１（正常）に分類された症例は、第２の識別関数ｆ２では、正常と診断されているが、第１の識別関数群ｆ１ｎでは、症例群ｍ１は正常、症例群ｍ３は緑内障と診断されている。すなわち、システム使用者となる医師が、正確に診断を行なった症例群が症例群ｍ１（第１のカテゴリ）であり、誤診断を行なった症候群が症例群ｍ３（第２のカテゴリ）である。
【００５４】
学習処理装置１０は、分析部１５３において、症例群ｍ３及び症例群ｍ１を参照し、症例群ｍ３と症例群ｍ１との分離要因となる特徴量を求める。例えば、フィッシャーの判別分析法を用いて、特徴量空間上の２クラスのパターン分布から、この２クラスを識別するのに最適な一次元軸を求める。なお、フィッシャーの判別分析法に限られず、例えば、決定木やロジスティック回帰分析などの手法を用いてもよい。
【００５５】
ここで、分析部１５３は、症例群ｍ３及び症例群ｍ１に対してフィッシャーの判別分析を適応する。これにより、「式１」に示す変換行列を求める。
2010282366.tif 000003
ここで、μｉは各症例群における特徴量ベクトルの平均ベクトルであり、Ｓｗはクラス内変動行列である。症例群ｍ３及び症例群ｍ１に分類された各症例に対する特徴量ベクトルをｘとすると、クラス内変動行列Ｓｗは「式２」のように示される。
【００５６】
2010282366.tif 000004
フィッシャーの判別分析法により変換行列Ｍ３１が求まる。変換行列Ｍ３１により変換された特徴量空間は、クラス内変動・クラス間変動比を最大にする一次元空間となる。なお、ここでは説明を省略するが、症例群ｍ４及び症例群ｍ６に対しても、上述した処理を実施し、変換行列Ｍ４６を求める。
【００５７】
変換行列が求まると、学習処理装置１０は、分析部１５３において、Ｍ３１の要素の中で絶対値が最も大きな要素を求め、その要素に対応する特徴量を最重要特徴量とする。また、モダリティ毎にＭ３１の各要素の２乗和をとる。そして、この値をモダリティ毎に比較し、最も大きな値となったモダリティを最重要モダリティとする。これは、当該医師の診断を補助するのに重要となる検査情報を特定するために行なわれる。なお、Ｍ４６に対しても、上記同様に最重要特徴量及び最重要モダリティを求める。
【００５８】
分析処理が済むと、学習処理装置１０は、当該分析結果等をデータベース４０に向けて送信する。具体的には、Ｓ１０１で設定した特徴量のセットやパターン認識のパラメータ、Ｓ１０２で求めた第１の学習結果、Ｓ１０３で求めた第２の学習結果及び医師（システム使用者）のＩＤ、Ｓ１０４で求めた分析結果、等をデータベース４０に格納する（Ｓ２０４）。
【００５９】
次に、図６を用いて、図１に示す診断支援装置５０の機能的な構成の一例について説明する。診断支援装置５０は、学習結果取得部５１と、入力部５２と、記憶部５３と、表示処理部５４と、出力部５５と、臨床データ取得部５６と、制御部５７とを具備して構成される。
【００６０】
入力部５２は、医師（使用者）を識別する情報や、使用者の指示を装置内に入力する。学習結果取得部５１は、データベース４０から学習結果を取得する。具体的には、第１の学習結果と、第２の学習結果とをデータベース４０から取得する。
【００６１】
臨床データ取得部５６は、診断対象となる患者の臨床データを臨床データ取得装置２０から取得する。記憶部５３は、各種情報を記憶する。制御部５７は、診断支援装置５０を統括制御する。表示処理部５４は、表示画面を生成し、それをモニタに表示する。出力部５５は、データベース４０等に向けて各種情報を出力する。
【００６２】
ここで、制御部５７には、表示情報決定部５７１と、臨床データ識別部５７２とが具備される。
【００６３】
表示情報決定部５７１は、臨床データ表示時に画面上に表示する表示情報を決める。表示情報とは、臨床データの表示に際して、検査結果の内のいずれを表示するかを示す情報や、いずれのモダリティにより検査された情報を表示するかを示す情報等である。また、表示情報には、その検査結果をどのように表示するかを示す情報や、その他、注意喚起等を促す情報等も含まれる。なお、どのような表示情報を表示するかは、分析部１５３による分析結果に基づいて決められる。
【００６４】
表示情報決定部５７１には、比較分類部６１が設けられる。比較分類部６１では、経験者による学習結果（以下、第１の学習結果と呼ぶ）とシステム使用者による学習結果（以下、第２の学習結果と呼ぶ）とを用いて、特徴量空間を複数のカテゴリに分類する。そして、表示情報決定部５７１は、その分類されたカテゴリ毎に表示情報を決める。
【００６５】
臨床データ識別部５７２は、臨床データ取得部５６により取得された臨床データを分析し、上述した比較分類部６１により分類されたいずれのカテゴリに当該臨床データが分類されるのかを識別する。具体的には、臨床データに基づいて各特徴量の値を算出し、当該臨床データの特徴量ベクトルｘを求める。これにより、当該臨床データがいずれの症例に分類されるのかを識別する。
【００６６】
次に、図７を用いて、図１に示す診断支援装置５０における処理の流れの一例について説明する。ここでは、緑内障の診断支援を行なう時の処理の流れについて説明する。
【００６７】
医師は、まず、入力部５２を介して自身の医師ＩＤを入力する。これにより、診断支援装置５０は、医師（使用者）のＩＤを取得し、それを記憶部５３に格納する（Ｓ３０１）。
【００６８】
診断支援装置５０は、学習結果取得部５１において、学習処理装置１０がデータべース４０に格納した情報を取得する。具体的には、Ｓ１０１で設定された特徴量のセットやパターン認識のパラメータ、Ｓ１０２で求められた第１の学習結果（第１の識別関数群ｆ１ｎ（ｘ））を取得する。また、学習結果取得部５１は、Ｓ３０１で取得したＩＤに基づいて当該医師によりＳ１０３で行なわれた第２の学習結果（第２の識別関数ｆ２（ｘ））を取得するとともに、当該第２の学習結果に基づいてＳ１０４で求められた当該使用者の分析結果を取得する（Ｓ３０２）。
【００６９】
これら情報の取得が済むと、診断支援装置５０は、表示情報決定部５７１において、第１の識別関数群ｆ１ｎ（ｘ）と、第２の識別関数ｆ２（ｘ）とを用いて、図８に示すように、特徴量空間を複数のカテゴリ（この場合、６つ）に分類する。
【００７０】
ここで、第１の識別関数群ｆ１ｎ（ｘ）及び第２の識別関数ｆ２（ｘ）に差異がなければ、カテゴリＲ３とカテゴリＲ２とを合わせてカテゴリＲ２とし、カテゴリＲ３は存在しないものとする。また、カテゴリＲ４とカテゴリＲ５とを合わせてカテゴリＲ５とし、カテゴリＲ４は存在しないものとする。両関数に差異があれば、Ｓ３０２で取得した情報（具体的には、Ｓ２０１の処理結果）に基づいてＲ３（ＦＮ症例群、ｍ３）及びＲ４（ＦＰ症例群、ｍ４）のいずれかに分類された症例があるか否かを判断する。判断の結果、ＦＮ症例群がなければ、カテゴリＲ３とカテゴリＲ２とを合わせてカテゴリＲ２とし、カテゴリＲ３は存在しないものとする。また、ＦＰ症例群がなければ、カテゴリＲ４とカテゴリＲ５とを合わせてカテゴリＲ５とし、カテゴリＲ４は存在しないものとする。
【００７１】
次に、診断支援装置５０は、表示情報決定部５７１において、カテゴリＲ３又はカテゴリＲ４が存在するか否かを判断する。判断の結果、いずれかのカテゴリが存在すれば、Ｓ３０２で取得した情報（具体的には、Ｓ２０３の処理結果）に基づいて、Ｒ３及びＲ４に対応する最重要特徴量及び最重要モダリティを記憶部５３から取得する。
【００７２】
次に、診断支援装置５０は、表示情報決定部５７１において、複数のカテゴリ（Ｒ１〜Ｒ６）各々に対する表示情報を決める（Ｓ３０３）。具体的には、予め設けられた複数の表示情報の中からカテゴリ各々に対応した表示情報を決める。例えば、カテゴリＲ１に対しては、緑内障でない症例を表示する時の表示情報を設定し、カテゴリＲ６に対しては、緑内障である症例を表示する時の表示情報を設定する。また、カテゴリＲ２又はＲ５に対しては、経験のある医師でも診断が困難な症例を表示する時の表示情報を設定し、カテゴリＲ３又はＲ４に対しては、Ｓ２０３で求められた最重要特徴量及び最重要モダリティに基づく情報を表示する時の表示情報を設定する。更に、各モダリティに関する分析結果を含む情報を表示する時の表示情報や、特徴量各々に対する正常例の分布やばらつきの度合いなどを含む情報を表示する時の表示情報等も選択される。
【００７３】
各カテゴリに対する表示情報が決まると、診断支援装置５０は、臨床データ取得部５６において、臨床データ取得装置２０から臨床データを取得する（Ｓ３０４）。具体的には、臨床データ取得装置２０に対して検査結果の送信を要求し、眼底画像、ＯＣＴによる３Ｄ画像、視野計による視野感度の測定結果、眼圧、隅角、視力、眼軸長の情報を含む臨床データを取得し、それを記憶部５３に格納する。
【００７４】
診断支援装置５０は、臨床データ識別部５７２において、Ｓ３０４で取得した臨床データに基づいて各特徴量の値を算出し、当該臨床データの特徴量ベクトルｘを求める。そして、Ｓ１０２で求められた第１の識別関数群ｆ１ｎ（ｘ）と、Ｓ１０３で求められた第２の識別関数ｆ２（ｘ）とを用いて、この算出された特徴量ベクトルに対して識別処理を実施する。これにより、取得した臨床データの症例が、図８に示す特徴量空間のいずれのカテゴリに属するのかを識別する（Ｓ３０５）。
【００７５】
診断支援装置５０は、表示処理部５４において、臨床データ識別部５７２による識別結果と、表示情報決定部５７１により決められた表示情報とに基づいて臨床データを表示する。すなわち、臨床データが分類されたカテゴリに設定された表示情報に基づいて表示画面を生成し、それをモニタに表示する（Ｓ３０６）。
【００７６】
診断が終わると、医師は、入力部５２を介して、当該臨床データをデータベース４０に格納するか否かを指示する。ここで、格納が指示された場合（Ｓ３０７でＹＥＳ）、診断支援装置５０は、出力部５５において、医師のＩＤと臨床データの情報や分析結果等をデータベース４０に送信する（Ｓ３０８）。更に、医師による診断結果（診断ラベル）を当該臨床データと対応付けてデータベース４０に格納する。
【００７７】
その後、医師は、入力部５２を介して、診断を終了するか否かを指示する。ここで、医師により診断の終了を指示する旨の操作が行なわれた場合（Ｓ３０９でＹＥＳ）、診断支援装置５０は、この処理を終了する。一方、診断の継続を指示する旨の操作が行なわれた場合（Ｓ３０９でＮＯ）、Ｓ３０４の処理に戻る。
【００７８】
ここで、Ｓ３０６でモニタに表示される表示画面について例を挙げて説明する。
【００７９】
緑内障でないと識別し易い症例（カテゴリＲ１に分類された臨床データ）を表示する場合、例えば、全体の一覧性がよい眼底画像が中心に表示され、その黄斑部の中央を撮像したＯＣＴの断層像がその横に表示される。視野計の結果は、感度低下が見られないことが予測されるので、ＯＣＴ断層像の下方に表示される。また、臨床データの値の表も画面内に表示される。全体的に画像データを中心にし、必要以上の分析結果を表示しない画面構成となることが望ましい。
【００８０】
また、緑内障であると識別し易い症例（カテゴリＲ６に分類された臨床データ）を表示する場合、神経線維欠損の検出結果や、視神経乳頭辺縁の陥凹の測定結果（Ｃ／Ｄ比など）が眼底画像内に表示される。更に、ＯＣＴによる神経線維層の層厚マップの全体像が表示される。視野計の測定結果は、感度分布のマップとともに、視野異常の程度を表す指標に基づく分析結果を並べて表示する。ここで、視野異常の程度を分析する手法は、種々知られているが、例えば、アンダーソンの分類などを用いればよい。また、緑内障の症例を表示する場合は、多治見スタディによる判定基準などに基づいたカテゴリ分類を行なうことも望ましい。
【００８１】
次に、緑内障であると識別するのが困難な症例（カテゴリＲ２又はＲ５に分類された臨床データ）を表示する場合、上述したカテゴリＲ６時の表示に加えて、診断が困難であることを示すアラート（注意喚起）を表示する。更に、このような症例の表示に際しては、上述した特徴量以外にも、例えば、スリットランプによる眼底所見などの情報も重要になると考えられる。そこで、学習に用いた特徴量を表示するとともに、一般的な専門医が着眼する点に関する情報も表示することが望ましい。
【００８２】
次に、ＦＮ症例群又はＦＰ症例群（カテゴリＲ３又はＲ４に分類された症例）を表示する場合、上述した最重要特徴量、最重要モダリティに基づいて表示画面が構成される。一般に、眼底画像の読影に経験豊富であったとしても、ＯＣＴ画像の読影に不慣れであったり、視野計の新しい解析モードに対して不慣れであったりすることが考えられる。ここで、例えば、最重要特徴量が、神経線維層の層厚に関する特徴量であり、最重要モダリティが、ＯＣＴである場合を考える。この場合、神経線維層の層厚の黄斑周辺の層厚マップに加えて、正常時の層厚分布とそのばらつきに関するデータとを表示する。更に、検討症例の正常分布からのずれが大きく見られる箇所の指摘、当該大きなずれが見られる箇所の断層像の表示などを行なう。
【００８３】
また、例えば、眼圧は、様々な因子から影響を受けることが知られている。そのため、最重要特徴量が眼圧であれば、揺らぎに関するデータを表示する。例えば、年齢、性差、人種、屈折の影響や、測定時に座位である場合と仰臥位である場合とのばらつきの差などに関するデータの表示を行なってもよい。
【００８４】
上述した説明では、様々な特徴量やモダリティに対して、どのような表示を行なうかについていくつか例を挙げたが、当然、必要な情報が変わればそれに応じて表示画面も変更する。例えば、眼圧のばらつきに関するデータは、新しい調査結果の発表が行なわれれば、それに応じて内容を変更する。
【００８５】
以上説明したように実施形態１によれば、複数の経験豊富な医師の診断パターンと、本システムを利用する医師の診断パターンとを比較し、その差異を分析する。そして、その分析結果に基づいて診断画面の表示内容を変更する。これにより、例えば、複数の医師が同じ症例を診断する場合に、その症例に対して診断ミスの多い医師に対しては、その間違いをカバーする情報を表示し、そうでない医師に対しては、通常の表示を行なうことができる。
【００８６】
（実施形態２）
次に、実施形態２について説明する。実施形態１においては、各モダリティを単位として診断画面を表示する場合を例に挙げて説明した。これに対して、実施形態２においては、同じモダリティでも複数の異なる撮影結果や解析結果等がある点に注目する。例えば、ＯＣＴというモダリティでは、黄斑部の撮影もあれば、視神経乳頭周辺の撮影もある。また、眼底カメラというモダリティでは、眼底画像内の視神経乳頭部の解析もあれば、神経線維欠損の解析もある。
【００８７】
そこで、実施形態２においては、最重要モダリティを更に分類し、最重要撮像箇所又は最重要解析箇所を求める。具体的には、実施形態１とは、Ｓ２０３の処理が相違する。
【００８８】
ここで、実施形態２に係わる学習処理装置１０は、分析部１５３において、変換行列Ｍ３１の要素の中でその絶対値が最も大きな要素を求め、その要素に対応する特徴量を最重要特徴量とする。また、対応する撮像箇所毎にＭ３１の各要素の２乗和をとる。そして、２乗和が最も大きくなる撮像箇所を最重要撮像箇所とする。例えば、黄斑部を撮像したＯＣＴ画像と、視神経乳頭部を撮像したＯＣＴ画像とがあれば、黄斑部の特徴量に対応するＭ３１の各要素２乗和と、視神経乳頭部の特徴量に対応するＭ３１の各要素２乗和とをそれぞれ算出する。
【００８９】
また、例えば、眼底画像の解析時には、視神経乳頭部の解析、眼底上半部の神経線維欠損の解析、眼底下半部の神経線維欠損の解析など、複数の解析箇所が考えられる。そのため、各解析箇所に関連する特徴量と対応するＭ３１の各要素２乗和を求め、解析箇所毎にそれらの値を比較する。そして、２乗和が最も大きくなる解析箇所を最重要解析箇所とする。なお、Ｍ４６に対しても、上記同様に最重要特徴量と、最重要撮像箇所又は最重要解析箇所とを求める。
【００９０】
これに伴って診断支援装置５０では、Ｓ３０２及びＳ３０３の処理が実施形態１と相違する。Ｓ３０２の処理では、最重要モダリティの取得に留まらず、当該モダリティの最重要撮像箇所又は最重要解析箇所を取得する。具体的には、Ｒ３又はＲ４に分類された症例があれば、診断支援装置５０は、最重要特徴量、最重要撮像箇所又は最重要解析箇所を取得する。
【００９１】
また、Ｓ３０３の処理では、診断支援装置５０は、表示情報決定部５７１において、複数のカテゴリ（Ｒ１〜Ｒ６）毎に表示情報を決める。具体的には、カテゴリＲ１、Ｒ２、Ｒ５、Ｒ６は、実施形態１同様の表示情報が設定されるが、カテゴリＲ３には、最重要特徴量、最重要撮像箇所又は最重要解析箇所に対応した表示情報が設定される。
【００９２】
以上説明したように実施形態２によれば、モダリティのみではなく、当該モダリティによる撮像箇所又は解析箇所に基づく表示を行なう。そのため、例えば、ＯＣＴというモダリティであっても、特に、視神経乳頭部の情報を優先させて表示等することができる。
【００９３】
（実施形態３）
次に、実施形態３について説明する。実施形態１においては、複数の経験豊富な医師の診断パターンと、本システムを利用する医師の診断パターンとの差異を分析する際に、ＦＰ症例群及びＦＮ症例群を一つの集合として取り扱っていた。しかし、例えば、緑内障を見落とす場合（ＦＮ症例群）の見落としの要因は、複数存在する。そのため、ＦＮ症例群は、その中でも更にクラス分けするべきである。
【００９４】
そこで、実施形態３においては、特定のカテゴリ内の症例群（ＦＰ症例群、ＦＮ症例群）に対してクラスタリング処理を行なう。これにより、それぞれの症例群の内部構造を反映した最重要特徴量及び最重要モダリティを求める。
【００９５】
ここで、まず、図９を用いて、実施形態３に係わる学習処理装置１０の機能的な構成の一例について説明する。なお、実施形態１を説明した図２と同一の構成には、同一の番号を付し、その説明については省略する。
【００９６】
学習処理装置１０の制御部１５には、クラスタリング部１５４が新たに設けられる。クラスタリング部１５４は、ＦＰ症例群及びＦＮ症例群を更に分類する。クラスタリングには、例えば、ｋ−Ｍｅａｎｓ法や混合正規分布を用いた手法等を採用すればよい。
【００９７】
次に、図１０を用いて、実施形態３に係わる学習処理装置１０における処理の流れの一例について説明する。ここでは、実施形態１を説明した図３と相違する点について説明する。
【００９８】
学習処理装置１０は、実施形態１同様に、各症例データを分類する（Ｓ４０１）。その後、学習処理装置１０は、比較分類部１５２において、第１の識別関数群ｆ１ｎ（ｘ）と第２の識別関数ｆ２（ｘ）とに差異があるか否かの判断を行なう。
【００９９】
判断の結果、差異があれば（Ｓ４０２でＹＥＳ）、学習処理装置１０は、クラスタリング部１５４において、クラスタリング処理を行なう（Ｓ４０３）。具体的には、症例群ｍ３及び症例群ｍ４をそれぞれｋ３個、ｋ４個のクラスタに分類する。この結果、ｍ３−１〜ｍ３−ｋ３、ｍ４−１〜ｍ４−ｋ４が得られる。
【０１００】
ここで、クラスタの数ｋ３は、症例群ｍ３の特徴量空間内での分布に応じて決める。例えば、ｋ−Ｍｅａｎｓ法を用いて、ｋ３＝２から値を１づつ増加させながらクラスタリングを行なう。初期値に応じて収束結果が変動しない、症例群ｍ３の特徴量ベクトル、各クラスタへ割り振られる症例数が少なくとも５症例存在する、等の条件を設け、クラスタ数の最大値を設定する。
【０１０１】
その後、クラスタ数と、症例群ｍ３内の各サンプルが割り振られたクラスタの平均ベクトルとの距離の二乗和の関係を求める。そして、クラスタの増加によって大幅な減少がみられるクラスタ数を選択する。
【０１０２】
クラスタリング処理が終了すると、学習処理装置１０は、分析部１５３において、分析処理を行なう（Ｓ４０４）。ここで、分析処理においては、症例群ｍ３（ＦＮ）をｍ３−１〜ｍ３−ｋ３のｋ３個のクラスタで置き換え、症例群ｍ４（ＦＰ）をｍ４−１〜ｍ４−ｋ４のｋ４個のクラスタで置き換える。
【０１０３】
具体的には、
１−１）症例群ｍ３（ＦＮ）−１と症例群ｍ１（正常）、
１−２）症例群ｍ３（ＦＮ）−２と症例群ｍ１（正常）、
・・・、
１−ｋ）症例群ｍ３（ＦＮ）−ｋ３と症例群ｍ１（正常）
また、
２−１）症例群ｍ４（ＦＰ）−１と症例群ｍ６（緑内障）、
２−２）症例群ｍ４（ＦＰ）−２と症例群ｍ６（緑内障）、
・・・、
２−ｋ）症例群ｍ４（ＦＰ）―ｋ４と症例群ｍ６（緑内障）
となる。
【０１０４】
学習処理装置１０は、分析部１５３において、１−１）〜１−ｋ３）、２−１〜２−ｋ４）に対して上記実施形態１同様の分析を実施する。これにより、変換行列Ｍ３１−１〜Ｍ３１−ｋ３、Ｍ４６−１〜Ｍ４６−ｋ４を分析結果として取得する。
【０１０５】
変換行列が求まると、学習処理装置１０は、分析部１５３において、実施形態１同様に、Ｍ３１−１の要素の中で絶対値が最も大きな要素を求め、その要素に対応する特徴量を最重要特徴量とする。また、モダリティ毎にＭ３１−１の各要素の２乗和をとる。そして、この値をモダリティ毎に比較し、最も大きな値となったモダリティを最重要モダリティとする。同様に、全ての変換行列Ｍ３１−１〜Ｍ３１−ｋ３、Ｍ４６−１〜Ｍ４６−ｋ４に対して最重要特徴量及び最重要モダリティを求める。なお、Ｍ４６−１に対しても、上記同様にして最重要特徴量及び最重要モダリティを求める。
【０１０６】
このようにして分析結果が得られると、学習処理装置１０は、クラスタ毎の最重要特徴量と最重要モダリティとしてその分析結果を記憶部１３に格納する。なお、勿論、実施形態２のように、最重要特徴量と、最重要撮像部位又は最重要解析部位とを求めるようにしてもよい。
【０１０７】
次に、実施形態３に係わる診断支援装置５０における処理の流れの一例について説明する。なお、診断支援装置５０の処理の流れは、実施形態１を説明した図７と同様となるため、ここでは、図７を参照して相違点について説明する。
【０１０８】
実施形態１同様にしてＳ３０２における学習結果等の取得が済むと、診断支援装置５０は、表示情報決定部５７１において、図８に示すように、特徴量空間を複数のカテゴリ（この場合、６つ）に分類する。そして、実施形態１同様に、カテゴリの合体等を行なう。このカテゴリ合体等の結果、カテゴリＲ３（ＦＮ症例群）に該当する特徴量空間があれば、カテゴリＲ３を、Ｓ４０３で説明したｋ３個のクラスタのいずれかに分類する。また、カテゴリＲ４（ＦＰ症例群）も、カテゴリＲ３同様に、ｋ４個のクラスタに分類する。
【０１０９】
次に、診断支援装置５０は、表示情報決定部５７１において、カテゴリＲ３又はカテゴリＲ４が存在するか否かを判断する。判断の結果、いずれかのカテゴリが存在すれば、カテゴリＲ３とその各クラスタ（Ｒ３−１〜Ｒ３−ｋ３）、カテゴリＲ４とその各クラスタ（Ｒ４−１〜Ｒ４−ｋ４）とに対応する最重要特徴量及び最重要モダリティを取得する。
【０１１０】
次に、診断支援装置５０は、表示情報決定部５７１において、複数のカテゴリ各々に対する表示情報を決める（Ｓ３０３）。すなわち、４種類のカテゴリ（Ｒ１、Ｒ２、Ｒ５、Ｒ６）と、２種類のカテゴリ及びそれぞれに属するクラスタ（Ｒ３−１〜Ｒ３−ｋ３、Ｒ４−１〜Ｒ４−ｋ４）に対する表示情報を決める。カテゴリＲ３の各クラスタ（Ｒ３−１〜Ｒ３−ｋ３）及びカテゴリＲ４の各クラス（Ｒ４−１〜Ｒ４−ｋ４）に対しては、最重要特徴量及び最重要モダリティに対応する表示情報を設定する。
【０１１１】
各カテゴリに対する表示情報が決まると、診断支援装置５０は、臨床データを取得し（Ｓ３０４）、当該臨床データの特徴量ベクトルｘを求める。これにより、取得した臨床データの症例が、図８に示す特徴量空間（６分類及び対応するクラスタ内）のいずれに属するのかを識別する（Ｓ３０５）。ここで、クラスタの識別法は、例えば、Ｓ４０３でｋ−Ｍｅａｎｓ手法が用いられていれば、各クラスタの平均ベクトルの内、最も距離の近いクラスタに当該症例を分類する。
【０１１２】
その後、診断支援装置５０は、表示処理部５４において、臨床データ識別部５７２による識別結果と、表示情報決定部５７１により決められた表示情報とに基づいて臨床データを表示する。すなわち、臨床データが分類されたカテゴリに設定された表示情報に基づいて表示画面を生成し、それをモニタに表示する（Ｓ３０６）。なお、以降の処理は、実施形態１と同様であるため、その説明については省略する。
【０１１３】
以上説明したように実施形態３によれば、診断ミス（ＦＰ、ＦＮ）を起こす可能性の高い症例を診断する場合に、より最適な診断画面を表示することができる。
【０１１４】
以上が本発明の代表的な実施形態の一例であるが、本発明は、上記及び図面に示す実施形態に限定することなく、その要旨を変更しない範囲内で適宜変形して実施できるものである。
【０１１５】
例えば、上述した説明（図７、図１０等）では、診断支援装置５０において、診断の都度、カテゴリ識別処理やクラスタリング処理を行なう構成となっていたが、これに限られない。例えば、一度行なったカテゴリ識別やクラスタリングの結果を保持し、それ以降においては、その結果を取得して診断支援を行なうように構成してもよい。
【０１１６】
なお、上述した学習処理装置１０、診断支援装置５０等における処理を、これら装置に内蔵されたコンピュータにインストールされたプログラムにより実施するように構成してもよい。このプログラムは、ネットワーク等の通信手段により提供することは勿論、ＣＤ−ＲＯＭ等の記録媒体に格納して提供することも可能である。
【０１１７】
また、上述した診断支援システムでは、学習処理装置１０と、診断支援装置５０と、臨床データ取得装置２０と、データベース４０とを含むんで構成されていたが、必ずしもこのような構成を採る必要はない。すなわち、システム内におけるいずれかの装置にその全部若しくは一部の機能が実現されていればよい。例えば、学習処理装置１０と診断支援装置５０とが一つの装置（情報処理装置）として実現されてもよいし、また、３つ以上の装置として実現されてもよい。
【図１】
2010282366.tif 000005
【図２】
2010282366.tif 000006
【図３】
2010282366.tif 000007
【図４】
2010282366.tif 000008
【図５】
2010282366.tif 000009
【図６】
2010282366.tif 000010
【図７】
2010282366.tif 000011
【図８】
2010282366.tif 000012
【図９】
2010282366.tif 000013
【図１０】
2010282366.tif 000014